(57)【特許請求の範囲】
【請求項１】
交流出力電圧指令に基づいて交流電圧を出力する電力変換装置であって、
第１の交流端子と第２の交流端子とを有する単相交流電源と、
第１の直流電源と第２の直流電源とを直列に接続してなり、前記第１の直流電源と前記第２の直流電源の接続点である中性点端子が前記第２の交流端子に接続される直流電源直列回路と、
を備え、
前記直流電源直列回路の正側電圧と、前記直流電源直列回路の負側電圧と、前記中性点端子の電位であるゼロ電圧と、前記交流電源の電圧の４レベルの電圧から選択した任意のレベルの電圧を出力することを特徴とする電力変換装置。
【請求項２】
前記直流電源直列回路の正側電圧と前記直流電源直列回路の負側電圧とは、前記交流電源の電圧の振幅値よりも大きいことを特徴とする請求項１に記載の電力変換装置。
【請求項３】
予め定められた時間幅を有しかつ連続する制御期間のそれぞれで、
前記４レベルの電圧から選択した一のレベルの電圧を第１の電圧とし、前記４レベルの電圧から選択した他のレベルの電圧を第２の電圧として、
前記第１の電圧と前記第２の電圧とをそれぞれ任意の時間幅で相補的に出力することにより、前記交流出力電圧指令に対応する交流出力電圧を出力することを特徴とする請求項２に記載の電力変換装置。
【請求項４】
前記第１の電圧と前記第２の電圧とは、前記交流出力電圧指令と前記交流電源の電圧とに基づいて選択される電圧であることを特徴とする請求項３に記載の電力変換装置。
【請求項５】
予め定められた時間幅を有しかつ連続する制御期間のそれぞれで、
前記４レベルの電圧のうちその絶対値が前記交流出力電圧指令の絶対値以上であってかつその値が前記交流出力電圧指令の値に一番近い電圧を第１の電圧として選択するとともに、前記４レベルの電圧のうちその絶対値が前記交流出力電圧指令の絶対値より小さくかつその値が前記交流出力電圧指令の値に一番近い電圧を第２の電圧として選択し、
前記制御期間内で、前記第１の電圧の出力時間と前記第２の電圧の出力時間との時比率を任意に設定して、前記第１の電圧と前記第２の電圧とを相補的に出力することにより、前記交流出力電圧指令に対応する交流電圧を出力することを特徴とする請求項２に記載の電力変換装置。
【請求項６】
予め定められた時間幅を有しかつ連続する制御期間のそれぞれで、
前記交流出力電圧指令がゼロ電圧以上でかつ前記交流電源の電圧が前記ゼロ電圧より小さいとき、前記直流電源直列回路の正側電圧を前記第１の電圧とするとともに、前記ゼロ電圧を前記第２の電圧とし、
前記交流出力電圧指令が前記ゼロ電圧以上でかつ前記交流電源の電圧が前記ゼロ電圧以上かつ前記交流出力電圧指令が前記交流電源の電圧より大きいとき、前記直流電源直列回路の正側電圧を前記第１の電圧とするとともに、前記交流電源の電圧を前記第２の電圧とし、
前記交流出力電圧指令が前記ゼロ電圧以上でかつ前記交流電源の電圧が前記ゼロ電圧以上かつ前記交流出力電圧指令が前記交流電源の電圧以下のとき、前記交流電源の電圧を前記第１の電圧とするとともに、前記ゼロ電圧を前記第２の電圧とし、
前記交流出力電圧指令が前記ゼロ電圧より小さくかつ前記交流電源の電圧が前記ゼロ電圧より小さくかつ前記交流出力電圧指令が前記交流電源の電圧以上のとき、前記交流電源の電圧を前記第１の電圧とするとともに、前記ゼロ電圧を前記第２の電圧とし、
前記交流出力電圧指令が前記ゼロ電圧より小さくかつ前記交流電源の電圧が前記ゼロ電圧より小さくかつ前記交流出力電圧指令が前記交流電源の電圧より小さいとき、前記直流電源直列回路の負側電圧を前記第１の電圧とするとともに、前記交流電源の電圧を前記第２の電圧とし、
前記交流出力電圧指令が前記ゼロ電圧より小さくかつ前記交流電源の電圧が前記ゼロ電圧以上のとき、前記直流電源直列回路の負側電圧を前記第１の電圧とするとともに、前記ゼロ電圧を前記第２の電圧として、
前記制御期間内で、前記第１の電圧の出力時間と前記第２の電圧の出力時間との時比率を任意に設定して、前記第１の電圧と前記第２の電圧とを相補的に出力することにより、前記交流出力電圧指令に対応する交流電圧を出力することを特徴とする請求項２に記載の電力変換装置。
【請求項７】
前記第１の電圧の出力時間は、前記交流出力電圧指令と前記第１の電圧と前記第２の電圧とに基づいて定められ、前記第２の電圧の出力時間は、前記制御期間の時間から前記第１の電圧の出力時間を差し引いた時間であることを特徴とする請求項５または請求項６のいずれかに記載の電力変換装置。
【請求項８】
前記第１の電圧の出力時間は、前記交流出力電圧と前記第２の電圧との差電圧を、前記第１の出電圧と前記第２の電圧の差電圧で除して得られる値に対応する時間であることを特徴とする請求項５または請求項６のいずれかに記載の電力変換装置。
【請求項９】
前記制御期間における前記交流出力電圧の平均値は、その制御期間内における前記交流出力電圧指令の平均値に等しいことを特徴とする請求項３乃至請求項８のいずれかに記載の電力変換装置。
【請求項１０】
前記交流出力電圧指令は、前記交流電源の電圧に同期していることを特徴とする請求項９に記載の電力変換装置。
【請求項１１】
前記交流電源の電圧と前記交流出力電圧指令との偏差が予め定められた範囲内にあるとき、前記交流電源の電圧を出力することを特徴とする請求項１０に記載の電力変換装置。
【請求項１２】
交流出力電圧指令に基づいて交流電圧を出力する電力変換装置であって、
第１の交流端子と第２の交流端子とを有する単相交流電源と、
第１の直流電源と第２の直流電源とを直列に接続してなり、前記第１の直流電源と前記第２の直流電源の接続点である中性点端子が前記第２の交流端子に接続される直流電源直列回路と、
前記直流電源直列回路の正側端子に接続される正側スイッチング素子と、前記直流電源直列回路の負側端子に接続される負側スイッチング素子とを直列接続してなるスイッチング素子直列回路と、
前記正側スイッチング素子と前記負側スイッチング素子との接続点に接続される第１の交流出力端子と、
前記中性点端子に接続される第２の交流出力端子と、
一端が前記第１の交流出力端子に接続され、他端が前記交流電源の第１の交流端子に接続される第１の双方向スイッチ素子と、
一端が前記第１の交流出力端子に接続され、他端が前記直流電源直列回路の中性点端子に接続される第２の双方向スイッチ素子と、
を備え、
前記直流電源直列回路の正側電圧と、前記直流電源直列回路の負側電圧と、前記中性点端子の電位であるゼロ電圧と、前記交流電源の電圧の４レベルの電圧からに選択した任意のレベルの電圧を、前記第１の交流出力端子に出力することを特徴とする電力変換装置。
【請求項１３】
前記直流電源直列回路の正側電圧と前記直流電源直列回路の負側電圧とは、前記交流電源の電圧の振幅値よりも大きいことを特徴とする請求項１２に記載の電力変換装置。
【請求項１４】
予め定められた時間幅を有しかつ連続する制御期間のそれぞれで、
前記４レベルの電圧から選択した一のレベルの電圧を第１の電圧とし、前記４レベルの電圧から選択した他のレベルの電圧を第２の電圧として、
前記第１の電圧と前記第２の電圧とを、それぞれ任意の時間幅で相補的に、前記第１の交流出力端子に出力することを特徴とする請求項１３に記載の電力変換装置。
【請求項１５】
前記第１の電圧と前記第２の電圧とは、前記交流出力電圧指令と前記交流電源の電圧とに基づいて選択される電圧であることを特徴とする請求項１４に記載の電力変換装置。
【請求項１６】
予め定められた時間幅を有しかつ連続する制御期間のそれぞれで、
前記４レベルの電圧のうちその絶対値が前記交流出力電圧指令の絶対値以上であってかつその値が前記交流出力電圧指令の値に一番近い電圧を第１の電圧として選択するとともに、前記４レベルの電圧のうちその絶対値が前記交流出力電圧指令の絶対値より小さくかつその値が前記交流出力電圧指令の値に一番近い電圧を第２の電圧として選択し、
さらに、前記制御期間内で、前記第１の電圧の出力時間と前記第２の電圧の出力時間との時比率を任意に設定して、
前記第１の電圧と前記第２の電圧とを、相補的に、前記第１の交流出力端子に出力することを特徴とする請求項１３に記載の電力変換装置。
【請求項１７】
予め定められた時間幅を有しかつ連続する制御期間のそれぞれで、
前記交流出力電圧指令が前記ゼロ電圧以上でかつ前記交流電源の電圧が前記ゼロ電圧より小さいとき、前記直流電源直列回路の正電圧を前記第１の電圧とするとともに、前記ゼロ電圧を前記第２の電圧とし、
前記交流出力電圧指令が前記ゼロ電圧以上でかつ前記交流電源の電圧が前記ゼロ電圧以上かつ前記交流出力電圧指令が前記交流電源の電圧より大きいとき、前記直流電源直列回路の正電圧を前記第１の電圧とするとともに、前記交流電源の電圧を前記第２の電圧とし、
前記交流出力電圧指令が前記ゼロ電圧以上でかつ前記交流電源の電圧が前記ゼロ電圧以上かつ前記交流出力電圧指令が前記交流電源の電圧以下のとき、前記交流電源の電圧を前記第１の電圧とするとともに、前記ゼロ電圧を前記第２の電圧とし、
前記交流出力電圧指令が前記ゼロ電圧より小さくかつ前記交流電源の電圧が前記ゼロ電圧より小さくかつ前記交流出力電圧指令が前記交流電源の電圧以上のとき、前記交流電源の電圧を前記第１の電圧とするとともに、前記ゼロ電圧を前記第２の電圧とし、
前記交流出力電圧指令が前記ゼロ電圧より小さくかつ前記交流電源の電圧が前記ゼロ電圧より小さくかつ前記交流出力電圧指令が前記交流電源の電圧より小さいとき、前記直流電源直列回路の負電圧を前記第１の電圧とするとともに、前記交流電源の電圧を前記第２の電圧とし、
前記交流出力電圧指令が前記ゼロ電圧より小さくかつ前記交流電源の電圧が前記ゼロ電圧以上のとき、前記直流電源直列回路の負電圧を前記第１の電圧とするとともに、前記ゼロ電圧を前記第２の電圧とし、
さらに、前記制御期間内で、前記第１の電圧の出力時間と前記第２の電圧の出力時間との時比率を任意に設定して、
前記第１の電圧と前記第２の電圧とを、相補的に、前記第１の交流出力端子に出力することを特徴とする請求項１３に記載の電力変換装置。
【請求項１８】
前記第１の電圧の出力時間は、前記交流出力電圧指令と前記第１の電圧と前記第２の電圧とに基づいて定められ、前記第２の電圧の出力時間は、前記各制御期間の時間から前記第１の電圧の出力時間を差し引いた時間であることを特徴とする請求項１６または請求項１７のいずれかに記載の電力変換装置。
【請求項１９】
前記第１の電圧の出力時間は、前記交流出力電圧と前記第２の電圧との差電圧を、前記第１の出電圧と前記第２の電圧の差電圧で除して得られる値に対応する時間であることを特徴とする請求項１６または請求項１７のいずれかに記載の電力変換装置。
【請求項２０】
前記制御期間における前記交流出力電圧の平均値は、その制御期間内における前記交流出力電圧指令の平均値に等しいことを特徴とする請求項１４乃至請求項１９のいずれか１項に記載の電力変換装置。
【請求項２１】
前記交流出力電圧指令は、前記交流電源の電圧に同期していることを特徴とする請求項２０に記載の電力変換装置。
【請求項２２】
前記交流電源の電圧と前記交流出力電圧指令との偏差が予め定められた範囲内にあるとき、前記交流電源の電圧を前記第１の交流出力端子に出力することを特徴とする請求項２１に記載の電力変換装置。
【発明の詳細な説明】
【技術分野】
【０００１】
本発明は、交流電源と直流電源の電圧を用いて所定の交流電圧を発生する電力変換装置に関する。より詳しくは、本発明は、交流電源の電圧変動および交流電源の停電が発生しても、安定した電圧を負荷に供給することができる瞬時電圧低下補償装置および無停電電源装置に関する。
【背景技術】
【０００２】
図１５は、特許文献１に開示されている常時インバータ給電方式の電力変換装置を説明するための図である。この電力変換装置は、交流電源の電圧を一旦直流電圧に変換し、直流電圧を再度交流電圧に変換して負荷に供給する。
【０００３】
図において、１は単相の交流電源、２はコンデンサ、３はコンバータ回路、４はインバータ回路、５はフィルタ回路、６は負荷である。
交流電源１の一端は、コンバータ回路３の交流入力端子に接続されている。
【０００４】
コンバータ回路３の交流入力端子は、交流電源１の一端に接続されている。コンバータ回路３内において、リアクトルＬの一端は交流入力端子に接続されている。リアクトルＬの他端はスイッチング素子Ｑｐ，Ｑｎを直列接続したスイッチング素子直列回路の接続中点に接続されている。スイッチング素子直列回路の両端には、コンデンサＣｐ，Ｃｎを直列接続したコンデンサ直列回路が接続されている。コンデンサ直列回路の接続中点は、交流電源１の他端に接続されている。コンバータ回路３は、スイッチング素子Ｑｐ，Ｑｎをオンオフさせて交流電源１の電圧を整流し、コンデンサＣｐ，Ｃｎを所定電圧に充電する。それぞれ所定電圧に充電されたコンデンサＣｐ，Ｃｎは、直流電源を形成している。
【０００５】
コンデンサ２は、コンバータ回路３の交流入力端子とコンデンサ直列回路の接続中点との間に接続されている。
インバータ回路４は、直列接続されたスイッチング素子Ｑ１，Ｑ２で構成されている。インバータ回路４は、コンバータ回路３の直流出力端子に接続されている。インバータ回路４は、スイッチング素子Ｑ１，Ｑ２をオンオフさせて、コンデンサＣｐ，Ｃｎからなる直流電源の電圧を交流電圧に変換する。
【０００６】
フィルタ回路５は、リアクトルＬｆ１とコンデンサＣｆ１とを直列接続して構成されている。フィルタ回路５の一端は、スイッチング素子Ｑ１，Ｑ２の接続中点に接続されている。また、フィルタ回路５の他端は、コンデンサ直列回路の接続中点に接続されている。フィルタ回路５は、インバータ回路４から出力される交流電圧から高周波数成分を除去する。
【０００７】
負荷６の一端は、リアクトルＬｆ１とコンデンサＣｆ１との接続点に接続されている。また、負荷６の他端は、交流電源１の他端に接続されている。負荷６には、フィルタ回路５を介して、インバータ回路４から出力された交流電圧が供給される。
【０００８】
図１６は、特許文献２に開示されている常時商用給電方式の電力変換装置を説明するための図である。
図において、交流電源１と負荷との間には、スイッチ７とトランス８の二次巻線とが直列に接続されている。コンバータ回路３、インバータ回路４、フィルタ回路５およびコンデンサ２それぞれの間の接続関係は、図１５の実施形態と同じである。そして、コンバータ回路３の交流入力端子はトランス８の一次巻線の一端に接続されている。また、コンデンサ直列回路の接続中点は、交流電源１の他端に接続されるとともに、トランス８の一次巻線の他端に接続されている。そして、リアクトルＬｆ１とコンデンサＣｆ１との接続点が、負荷６の一端に接続されている。
【０００９】
この電力変換装置は、通常は、交流電源の電圧を負荷に供給する。そして、交流電源１の電圧が低下したとき、コンバータ回路３は、スイッチング素子Ｑｐ，Ｑｎをオンオフさせて、コンデンサ直列回路に充電された直流電圧から低下電圧を補うための補償電圧を発生する。この補償電圧は、トランス８を介して、交流電源１の電圧に重畳される。そして、交流電源１の電圧に補償電圧が重畳された電圧が、負荷６に供給される。この場合、コンデンサ直列回路の充電は、インバータ回路４によって行われる。
【００１０】
また、交流電源１が停電したとき、スイッチ７が開放される。そして、インバータ回路４は、スイッチング素子Ｑ１，Ｑ２をオンオフさせて、コンデンサ直列回路の直流電圧を交流電圧に変換して、負荷６に供給する。
【先行技術文献】
【特許文献】
【００１１】
【特許文献１】特開平７−３３７０３６号公報
【特許文献２】特開平１１−１７８２１６号公報
【発明の概要】
【発明が解決しようとする課題】
【００１２】
しかしながら、図１５に示した電力変換装置では、交流電源１から負荷６に交流電圧が供給されるまでに、コンバータ回路３による交流−直流電圧変換と、インバータ回路４による直流−交流電圧変換とが必要である。そして、電力変換装置を流れる電流は、コンバータ回路３とインバータ回路４のそれぞれのスイッチング素子を少なくとも各１回通過する。すなわち、電力変換装置を流れる電流は、最低２回以上、スイッチング素子を通過することになる。そのため、コンバータ回路３とインバータ回路４のそれぞれで、スイッチング素子の通電に伴う導通損失が発生する。
【００１３】
また、コンバータ回路３およびインバータ回路４のスイッチング素子Ｑ１〜Ｑ４は、コンデンサＣｐとＣｎとからなる直流電源の電圧に基づいてオンオフ動作をする。そのため、それぞれの素子において、ターンオンおよびターンオフ時にスイッチング損失が発生する。
【００１４】
したがって、特許文献１に開示されている技術では、スイッチング素子の導通損失およびスイッチング損失からなる電力損失が大きくなる。スイッチング素子の電力損失が大きいと、電力変換装置の変換効率の低下を招くという問題がある。
【００１５】
また、図１６に示した電力変換装置では、交流電源１の電圧低下を補償するために、トランス８が必要となる。トランス８は、商用周波数で機能する必要があるため大型となる。さらに、図１６に示した電力変換装置では、交流電源１に停電が発生したとき、負荷６に所定の交流電圧を供給するために、コンバータ回路３とインバータ回路４の動作を切り替えなければならない。
【００１６】
したがって、特許文献２に開示されている技術では、大型の商用トランスを必要とし、電力変換装置の大型化を招くという問題がある。また、コンバータ回路３とインバータ回路４の動作を切り替えることにより、交流出力電圧に擾乱が発生するという問題がある。
【００１７】
本発明は、このような従来技術が有している問題を解決するためになされたものである。すなわち、本発明の目的は、交流電源の電圧低下時および交流電源の停電時に、擾乱を発生させることなく交流出力電圧を出力できる電力変換装置を提供することである。また、本発明の目的は、電力損失を低減することができる電力変換装置を提供することである。さらにまた、本発明の目的は、電圧補償動作を行うに当たり、商用周波数のトランスを必要としない電力変換装置を提供することである。
【課題を解決するための手段】
【００１８】
上記目的を達成するための第１の発明は、交流電圧指令に基づいて、交流電圧を出力する電力変換装置であって、第１の交流端子と第２の交流端子とを有する単相交流電源と、第１の直流電源と第２の直流電源とを直列に接続してなり、第１の直流電源と第２の直流電源との接続点である中性点端子が第２の交流端子に接続される直流電源直列回路とを備えている。この電力変換装置は、直流電源直列回路の正側電圧と直流電源直列回路の負側電圧と中性点端子の電位であるゼロ電圧と交流電源の電圧の４レベルの電圧から選択した任意のレベルの電圧を出力することを特徴とする。
【００１９】
第２の発明は、第１の発明に係る電力変換装置において、直流電源直列回路の正側電圧と直流電源直列回路の負側電圧とが、交流電源の電圧の振幅値よりも大きいことを特徴とする。
【００２０】
第３の発明は、第２の発明に係る電力変換装置において、予め定められた時間幅を有しかつ連続する制御期間のそれぞれで、４レベルの電圧から選択した一のレベルの電圧を第１の電圧とし、４レベルの電圧から選択した他のレベルの電圧を第２の電圧とすることを特徴とする。さらに、この電力変換装置は、第１の電圧と第２の電圧とをそれぞれ任意の時間幅で相補的に出力することを特徴とする。
【００２１】
第４の発明は、第３の発明に係る電力変換装置において、第１の電圧と第２の電圧とが、交流出力電圧指令と交流電源の電圧とに基づいて選択される電圧であることを特徴とする。
【００２２】
第５の発明は、第２の発明に係る電力変換装置において、予め定められた時間幅を有しかつ連続する制御期間のそれぞれで、４レベルの電圧のうちその絶対値が交流出力電圧指令の絶対値以上であってかつその値が交流出力電圧指令の値に一番近い電圧を第１の電圧として選択するとともに、４レベルの電圧のうちその絶対値が交流出力電圧指令の絶対値より小さくかつその値が交流出力電圧指令の値に一番近い電圧を第２の電圧として選択することを特徴とする。さらに、この電力変換装置は、各制御期間内で、第１の電圧の出力時間と第２の電圧の出力時間との時比率を任意に設定して、第１の電圧と前記第２の電圧とを相補的に出力することにより、交流出力電圧指令に対応する交流出力電圧を出力することを特徴とする。
【００２３】
第６の発明は、第２の発明に係る電力変換装置において、予め定められた時間幅を有しかつ連続する制御期間のそれぞれで、交流出力電圧指令がゼロ電圧以上でかつ交流電源の電圧がゼロ電圧より小さいとき、直流電源直列回路の正側電圧を第１の電圧とするとともに、ゼロ電圧を第２の電圧とすることを特徴とする。さらに、この電力変換装置は、交流出力電圧指令がゼロ電圧以上でかつ交流電源の電圧がゼロ電圧以上かつ交流出力電圧指令が交流電源の電圧より大きいとき、直流電源直列回路の正側電圧を第１の電圧とするとともに、交流電源の電圧を第２の電圧とすることを特徴とする。さらに、この電力変換装置は、交流出力電圧指令がゼロ電圧以上でかつ交流電源の電圧がゼロ電圧以上かつ交流出力電圧指令が交流電源の電圧以下のとき、交流電源の電圧を第１の電圧とするとともに、ゼロ電圧を第２の電圧とすることを特徴とする。さらに、この電力変換装置は、交流出力電圧指令がゼロ電圧より小さくかつ交流電源の電圧がゼロ電圧より小さくかつ交流出力電圧指令が交流電源の電圧以上のとき、交流電源の電圧を第１の電圧とするとともに、ゼロ電圧を第２の電圧とすることを特徴とする。さらに、この電力変換装置は、交流出力電圧指令がゼロ電圧より小さくかつ交流電源の電圧がゼロ電圧より小さくかつ交流出力電圧指令が交流電源の電圧より小さいとき、直流電源直列回路の負側電圧を第１の電圧とするとともに、交流電源の電圧を第２の電圧とすることを特徴とする。さらに、この電力変換装置は、交流出力電圧指令がゼロ電圧より小さくかつ交流電源の電圧がゼロ電圧以上のとき、直流電源直列回路の負側電圧を第１の電圧とするとともに、ゼロ電圧を第２の電圧として、各制御期間内で、第１の電圧の出力時間と第２の電圧の出力時間との時比率を任意に設定して、第１の電圧と前記第２の電圧とを相補的に出力することにより、交流出力電圧指令に対応する交流出力電圧を出力することを特徴とする。
【００２４】
第７の発明は、第５または第６の発明に係る電力変換装置において、第１の電圧の出力時間が、交流出力電圧指令と第１の電圧と第２の電圧とに基づいて定められることを特徴とする。さらに、この電力変換装置は、第２の電圧の出力時間が、各制御期間の時間から第１の電圧の出力時間を差し引いた時間であることを特徴とする。
【００２５】
第８の発明は、第５または第６の発明に係る電力変換装置において、第１の電圧の出力時間が、交流出力電圧と第２の電圧との差電圧を、第１の出電圧と第２の電圧の差電圧で除して得られる値に対応する時間であることを特徴とする。
【００２６】
第９の発明は、第３から第８の発明に係る電力変換装置において、各制御期間内における交流出力電圧の平均値が、その制御期間内における交流出力電圧指令の平均値に等しいことを特徴とする。
【００２７】
第１０の発明は、第９の発明に係る電力変換装置において、交流出力電圧指令が、交流電源の電圧に同期していることを特徴とする。
第１１の発明は、第１０の発明に係る電力変換装置において、交流電源の電圧と交流出力電圧指令との偏差が予め定められた範囲内にあるときは、交流電源の電圧を出力することを特徴とする。
【００２８】
第１２の発明は、第１から第１１の発明に係る電力変換装置において、単相交流電圧を出力する電力変換回路が、インバータ回路と双方向スイッチ回路とで構成されていることを特徴とする。そして、インバータ回路は、直流電源直列回路の正側端子に接続される正側スイッチング素子と、直流電源直列回路の負側端子に接続される負側スイッチング素子とを直列接続してなるスイッチング素子直列回路であることを特徴とする。また、双方向スイッチ回路は、一端が正側スイッチング素子と負側スイッチング素子との接続点に接続される第１の交流出力端子に接続され、他端が交流電源の一端に接続される第１の双方向スイッチ素子と、一端が第１の交流出力端子に接続され、他端が直流電源直列回路の中性点端子に接続される第２の双方向スイッチ素子とからなることを特徴とする。
【発明の効果】
【００２９】
本発明を適用した電力変換装置は、直流電源直列回路の正側電圧と、直流電源直列回路の負側電圧と、直流電源直列回路の中性点電圧と、交流電源の電圧の４レベルの電圧から任意に選択した一のレベルの電圧を出力することができる。そして、交流電源の電圧を出力するとき、電流は、一の双方向スイッチ素子のみを通過すれば良い。
【００３０】
また、本発明を適用した電力変換装置は、スイッチング素子および双方向スイッチ素子に印加される電圧を低減することができる。
したがって、本発明を適用した電力変換装置は、スイッチング素子および双方向スイッチ素子で発生する電力損失を低減することができる。
【００３１】
また、本発明を適用した電力変換装置は、交流出力電圧指令の周期を複数の制御期間に分割し、各制御期間において、４レベルの電圧のうち交流出力電圧指令以上であってかつ交流出力電圧指令に一番近い電圧を第１の電圧と、４レベルの電圧のうち交流出力電圧指令よりも小さくかつ交流出力電圧指令に一番近い電圧を第２の電圧とをそれぞれの所定時間出力することにより、所望の交流電圧を発生することができる。
【００３２】
したがって、本発明を適用した電力変換装置は、商用周波数のトランスを使用しなくても、電源電圧の変動を補償した交流電圧を出力することができる。
【図面の簡単な説明】
【００３３】
【図１】本発明の第１の実施形態を説明するための図である。
【図２】双方向スイッチ素子の実施形態を説明するための図である。
【図３】制御回路の動作を説明するためのブロック図である。
【図４】領域判定と、パルス幅指令αおよび素子選択との関係を説明するための図である。
【図５】領域１における交流出力電圧を説明するための図である。
【図６】領域２における交流出力電圧を説明するための図である。
【図７】領域３における交流出力電圧を説明するための図である。
【図８】領域４における交流出力電圧を説明するための図である。
【図９】領域５における交流出力電圧を説明するための図である。
【図１０】領域６における交流出力電圧を説明するための図である。
【図１１】領域判定と、パルス幅指令αおよび素子選択との他の関係を説明するための図である。
【図１２】領域７における交流出力電圧を説明するための図である。
【図１３】本発明の第２の実施形態を説明するための図である。
【図１４】本発明の第３の実施形態を説明するための図である。
【図１５】従来技術に係る電力変換装置を説明するための図である。
【図１６】従来技術に係る電力変換装置を説明するための図である。
【発明を実施するための形態】
【００３４】
以下、本発明に係る電力変換装置の実施形態を、図１〜図１４を用いて詳細に説明する。図１〜図１４に示した電力変換装置は、瞬時電圧低下補償装置または無停電電源装置など、交流電源の電圧変動および交流電源の停電が発生しても、負荷に安定な電圧を供給するための装置に適用される。
【００３５】
図１は、本発明に係る電力変換装置の第１の実施形態を説明するための図である。この実施形態に係る電力変換装置は、交流電源の電圧と２つの直流電源を直列接続した直流電源直列回路の電圧を用いて、４レベルの電圧を発生する。
【００３６】
図において、符号１は交流電源、符号２はコンデンサ、符号３０は直流電源直列回路、符号４はインバータ回路、符号５はフィルタ回路、符号６は負荷、符号１００は双方向スイッチ回路、符号２００は制御回路である。
【００３７】
交流電源１は、端子Ｒと端子Ｓとを有する単相交流電源である。交流電源１の端子Ｒと端子Ｓとの間に、コンデンサ２が接続される。
直流電源直列回路３０は、直流電源Ｐｓｐと直流電源Ｐｓｎとを直列接続してなる直流電源である。直流電源Ｐｓｐは正側の直流電源である。直流電源Ｐｓｐの一端は、正極性の電圧を出力する正側端子Ｐである。直流電源Ｐｓｎは負側の直流電源である。直流電源Ｐｓｎの一端は、負極性の電圧を出力する負側端子Ｎである。直流電源Ｐｓｐと直流電源Ｐｓｎとの直列接続点は、ゼロ電圧を出力する中性点端子Ｏである。中性点端子Ｏは、交流電源１の端子Ｓに接続される。
【００３８】
インバータ回路４は、直流電源直列回路３０の正側端子Ｐと負側端子Ｎの間に接続される。インバータ回路４は、スイッチング素子直列回路で構成される。スイッチング素子直列回路は、直流電源直列回路３０の正側端子Ｐにその一端が接続されるスイッチング素子Ｑ１と、負側端子Ｎにその一端が接続されるスイッチング素子Ｑ２とを直列に接続してなる回路である。
【００３９】
スイッチング素子Ｑ１とスイッチング素子Ｑ２の直列接続点は、インバータ回路４から単相交流電圧を出力するための交流出力端子Ｕ（第１の交流出力端子）に接続される。そして、直流電源直列回路３０の中性点端子Ｏが、インバータ回路４から単相交流電圧を出力するための交流出力端子Ｖ（第２の交流出力端子）に接続される。
【００４０】
双方向スイッチ回路１００は、双方向スイッチ素子Ｓ１（第１の双方向スイッチ素子）と双方向スイッチ素子Ｓ２（第２の双方向スイッチ素子）とで構成される。双方向スイッチ素子Ｓ１は、一端が交流出力端子Ｕに接続され、他端が交流電源１の端子Ｒに接続される。双方向スイッチ素子Ｓ２は、一端が交流出力端子Ｕに接続され、他端が直流電源直列回路３０の中性点端子Ｏに接続される。
【００４１】
交流出力端子Ｕ，Ｖは、フィルタ回路５を介して負荷６に接続される。フィルタ回路５は、インバータ回路４から出力される交流電圧に含まれている高調波成分を除去する。
ここで、双方向スイッチ素子Ｓ１，Ｓ２の構成例を図２（ａ）〜図２（ｄ）に示す。図２（ａ）に示す双方向スイッチ素子は、２つの逆阻止型ＩＧＢＴ（Insulated Gate Bipolar Transistor）を逆並列に接続して構成されている。図２（ｂ）に示す双方向スイッチ素子は、逆阻止耐圧を有しないＩＧＢＴとダイオードとを直列接続した２組の回路を逆並列に接続して構成されている。図２（ｃ）に示す双方向スイッチ素子は、逆阻止耐圧を有しないＩＧＢＴにダイオードを逆並列に接続した２組のスイッチ素子を逆直列に接続して構成されている。図２（ｄ）に示す双方向スイッチ素子は、図２（ｃ）に示した双方向スイッチ素子において、ＩＧＢＴがＭＯＳＦＥＴ（Metal Oxide Semiconductor Field Effect Transistor）に置き換えられた構成である。
【００４２】
インバータ回路４と双方向スイッチ回路１００とが、負荷６に供給される交流電圧を発生するための電力変換回路を構成している。この電力変換回路は、スイッチング素子Ｑ１，Ｑ２と双方向スイッチ素子Ｓ１，Ｓ２のうちのいずれか一の素子を選択してオンさせ、他の３個の素子をオフするように動作する。
【００４３】
そして、スイッチング素子Ｑ１がオンしたとき、交流出力端子Ｕに直流電源Ｐｓｐの正電圧が出力される。スイッチング素子Ｑ２がオンしたとき、交流出力端子Ｕに直流電源Ｐｓｎの負電圧が出力される。双方向スイッチ素子Ｓ１がオンしたとき、交流出力端子Ｕに交流電源１のＲ端子電圧が出力される。双方向スイッチ素子Ｓ２がオンしたとき、交流出力端子Ｕにゼロ電圧が出力される。すなわち、この電力変換回路は、スイッチング素子Ｑ１，Ｑ２と双方向スイッチ素子Ｓ１，Ｓ２のいずれか一の素子を選択してオンさせることにより、直流電源Ｐｓｐの正電圧、直流電源Ｐｓｎの負電圧、交流電源１のＲ端子電圧、ゼロ電圧の４レベルの電圧のうちいずれか一のレベルの電圧を、交流出力端子Ｕに出力することができる。
【００４４】
フィルタ回路５は、リアクトルＬｆ１とコンデンサＣｆ１とを直列に接続して構成されている。フィルタ回路５は交流出力端子Ｕと交流出力端子Ｖとの間（以下、交流出力端子Ｕ−Ｖ間という。）に接続される。コンデンサＣｆ１の両端に、負荷６が接続される。フィルタ回路５は、交流出力端子Ｕ−Ｖ間に出力される交流出力電圧Ｖｕｓから高調波成分を除去する。フィルタ回路５から出力される電圧が、負荷６に供給される。
【００４５】
制御回路２００は、後述する交流出力電圧指令の周期を複数の制御期間に分割する。制御回路２００は、この制御期間ごとに、スイッチング素子Ｑ１，Ｑ２をオンオフさせるための制御信号Ｇ１，Ｇ２および双方向スイッチ素子Ｓ１，Ｓ２をオンオフさせるための制御信号Ｇｓ１，Ｇｓ２を生成する。この制御期間は、予め定められた時間幅を有しかつ連続する期間である。
【００４６】
以下では、スイッチング素子Ｑ１，Ｑ２および双方向スイッチ素子Ｓ１，Ｓ２をオンオフ制御するための制御期間の長さを、スイッチング周期Ｔという。
なお、スイッチング周期Ｔによって定まるスイッチング周波数は、交流出力電圧指令の周波数に対して十分高い周波数であるのが望ましい。例えば、交流出力電圧指令の周波数が商用周波数の場合、スイッチング周波数は１ｋＨｚ以上であるのが好ましい。また、スイッチング周期Ｔは、必ずしも、交流出力電圧指令の一周期に同期している必要はなく、非同期であっても良い。
【００４７】
図３は、制御回路２００が制御信号を生成する動作を説明するためのブロック図である。
制御回路２００には、電圧検出器３０１で検出される交流電源１の電圧Ｖｒｓ，電圧検出器３０２で検出される直流電源Ｐｓｐの電圧Ｖｐｓおよび電圧検出器３０３で検出される直流電源Ｐｓｎの電圧Ｖｎｓが入力される。制御回路２００は、これら３つの電圧の関係から、スイッチング素子Ｑ１，Ｑ２をオンオフ制御するための制御信号Ｇ１，Ｇ２、および双方向スイッチ素子Ｓ１，Ｓ２をオンオフ制御するための制御信号Ｇｓ１，Ｇｓ２を生成する。
【００４８】
具体的には、制御回路２００は、以下のようにして制御信号Ｇ１，Ｇ２および制御信号Ｇｓ１，Ｇｓ２を生成する。
交流出力電圧指令生成回路２０１は、交流電源１の電圧Ｖｒｓに基づいて、交流出力電圧指令Ｖｕｓ＊を生成する。交流出力電圧指令Ｖｕｓ＊は、例えば、交流電源１の電圧Ｖｒｓに同期し、交流電源１の電圧定格に等しい振幅を有する交流出力電圧指令である。
【００４９】
なお、交流出力電圧指令Ｖｕｓ＊は、交流電源１の電圧Ｖｒｓに非同期の交流出力電圧指令とすることもできる。また、交流出力電圧指令Ｖｕｓ＊は、交流電源１の電圧定格とは異なる振幅を有する交流出力電圧指令とすることもできる。
【００５０】
電圧判定回路２０２には、交流電源１の電圧Ｖｒｓと交流出力電圧指令Ｖｕｓ＊とが入力される。電圧判定回路２０２は、交流電源１の電圧Ｖｒｓと交流出力電圧指令Ｖｕｓ＊とを用いて、該当するスイッチング周期Ｔが属する領域信号δを出力する。領域信号δは、領域１〜６に分類されている。
【００５１】
図４は、制御回路２００が行う領域判定と、パルス幅指令αおよび素子選択との関係を説明するための図である。
電圧判定回路２０２は、交流出力電圧指令Ｖｕｓ＊と交流電源１の電圧Ｖｒｓの関係が、Ｖｕｓ＊≧０かつＶｒｓ＜０のとき、当該スイッチング周期Ｔを領域１と判定する。
【００５２】
電圧判定回路２０２は、交流出力電圧指令Ｖｕｓ＊と交流電源１の電圧Ｖｒｓの関係が、Ｖｕｓ＊≧０かつＶｒｓ≧０かつＶｒｓ＜Ｖｕｓ＊のとき、当該スイッチング周期Ｔを領域２と判定する。
【００５３】
電圧判定回路２０２は、交流出力電圧指令Ｖｕｓ＊と交流電源１の電圧Ｖｒｓの関係が、Ｖｕｓ＊≧０かつＶｒｓ≧０かつＶｒｓ≧Ｖｕｓ＊のとき、当該スイッチング周期Ｔを領域３と判定する。
【００５４】
電圧判定回路２０２は、交流出力電圧指令Ｖｕｓ＊と交流電源１の電圧Ｖｒｓの関係が、Ｖｕｓ＊＜０かつＶｒｓ＜０かつＶｒｓ≦Ｖｕｓ＊のとき、当該スイッチング周期Ｔを領域４と判定する。
【００５５】
電圧判定回路２０２は、交流出力電圧指令Ｖｕｓ＊と交流電源１の電圧Ｖｒｓの関係が、Ｖｕｓ＊＜０かつＶｒｓ＜０かつＶｒｓ＞Ｖｕｓ＊のとき、当該スイッチング周期Ｔを領域５と判定する。
【００５６】
電圧判定回路２０２は、交流出力電圧指令Ｖｕｓ＊と交流電源１の電圧Ｖｒｓの関係が、Ｖｕｓ＊＜０かつＶｒｓ≧０のとき、当該スイッチング周期Ｔを領域６と判定する。
各領域において、４個の素子のうち一の素子がＨアーム素子として選択され、他の一の素子がＬアーム素子として選択される。Ｈアーム素子およびＬアーム素子に選択されなかった残りの２個の素子は、オフアーム素子となる。
【００５７】
Ｈアーム素子は、オンすることにより、４レベルの電圧のうち交流出力電圧指令Ｖｕｓ＊以上であってかつ交流出力電圧指令Ｖｕｓ＊に一番近い電圧（第１の電圧）を、交流出力端子Ｕに出力することができる素子である。Ｈアーム素子は、後述するパルス幅指令αに対応する時間（Ｈアームオン時間）の間オンする。
【００５８】
Ｌアーム素子は、オンすることにより、４レベルの電圧のうち交流出力電圧指令Ｖｕｓ＊よりも小さくかつ交流出力電圧指令Ｖｕｓ＊に一番近い電圧（第２の電圧）を、交流出力端子Ｕに出力することができる素子である。Ｌアーム素子は、スイッチング周期ＴからＨアームオン時間を差し引いた時間（Ｌアームオン時間）の間オンする。
【００５９】
オフアーム素子は、当該スイッチング周期Ｔにおいて、常にオフしている。
図３に戻って、パルス幅指令選択回路２０３には、交流電源１の電圧Ｖｒｓ，直流電源Ｐｓｐの電圧Ｖｐｓ，直流電源Ｐｓｎの電圧Ｖｎｓ，交流出力電圧指令Ｖｕｓ＊および領域信号δが入力される。パルス幅指令選択回路２０３は、これらの入力信号に基づいて、Ｈアーム素子に対するパルス幅指令α（スイッチング周期Ｔに対するオン時間の比率）を演算する。
【００６０】
領域１〜６のパルス幅指令αは、次式により求められる。
【００６１】
【数１】
0005403090.tif 000002
【００６２】
比較器２０４には、パルス幅指令αとキャリア信号生成回路２０６で生成されたキャリア信号Ｓｃが入力される。比較器２０４は、パルス幅指令αとキャリア信号Ｓｃとを比較して、Ｈアーム素子をオンさせるための信号Ｈｏｎを生成する。Ｈアームオン信号Ｈｏｎがハイレベルのとき、スイッチング周期Ｔ内で、Ｈアーム素子がＨアームオン時間の間オンする。
【００６３】
論理反転器２０７は、Ｈアームオン信号Ｈｏｎのハイレベルまたはローレベルをローレベルまたはハイレベルに反転させて、Ｌアーム素子をオンさせるための信号Ｌｏｎを生成する。Ｌアームオン信号Ｌｏｎがハイレベルのとき、スイッチング周期Ｔで、Ｌアーム素子がＬアームオン時間の間オンする。
【００６４】
パルス分配回路２０５には、Ｈアームオン信号Ｈｏｎ，Ｌアームオン信号Ｌｏｎおよび領域信号δが入力される。パルス分配回路２０５は、Ｈアームオン信号Ｈｏｎを、領域信号δにしたがって選択されたＨアーム素子の制御信号に分配する。また、パルス分配回路２０５は、Ｌアームオン信号Ｌｏｎを、領域信号δにしたがって選択されたＬアーム素子の制御信号に分配する。そして、パルス分配回路２０５は、オフアーム素子に対して、当該スイッチング周期Ｔの間オフするための制御信号を生成する。
【００６５】
上述のとおり、Ｈアーム素子は、オンすることにより、４レベルの電圧のうち交流出力電圧指令Ｖｕｓ＊以上であってかつ交流出力電圧指令Ｖｕｓ＊に一番近い電圧（第１の電圧）を、交流出力端子Ｕ−Ｖ間に出力することができる素子である。また、Ｌアーム素子は、オンすることにより、４レベルの電圧のうち交流出力電圧指令Ｖｕｓ＊よりも小さくかつ交流出力電圧指令Ｖｕｓ＊に一番近い電圧（第２の電圧）を、交流出力端子Ｕ−Ｖ間に出力することができる素子である。
【００６６】
図４によれば、領域１のとき、Ｈアーム素子はスイッチング素子Ｑ１、Ｌアーム素子は双方向スイッチ素子Ｓ２、オフアーム素子はスイッチング素子Ｑ２と双方向スイッチ素子Ｓ１である。領域２のとき、Ｈアーム素子はスイッチング素子Ｑ１、Ｌアーム素子は双方向スイッチ素子Ｓ１、オフアーム素子はスイッチング素子Ｑ２と双方向スイッチ素子Ｓ２である。領域３のとき、Ｈアーム素子は双方向スイッチ素子Ｓ１、Ｌアーム素子は双方向スイッチ素子Ｓ２、オフアーム素子はスイッチング素子Ｑ１とＱ２である。領域４のとき、Ｈアーム素子は双方向スイッチ素子Ｓ１、Ｌアーム素子は双方向スイッチ素子Ｓ２、オフアーム素子はスイッチング素子Ｑ１とＱ２である。領域５のとき、Ｈアーム素子はスイッチング素子Ｑ２、Ｌアーム素子は双方向スイッチ素子Ｓ１、オフアーム素子はスイッチング素子Ｑ１と双方向スイッチ素子Ｓ２である。領域６のとき、Ｈアーム素子はスイッチング素子Ｑ２、Ｌアーム素子は双方向スイッチ素子Ｓ２、オフアーム素子はスイッチング素子Ｑ１と双方向スイッチ素子Ｓ１である。
【００６７】
次に、交流出力電圧指令Ｖｕｓ＊が正（領域１〜３）の場合のスイッチング周期Ｔ内における交流出力電圧Ｖｕｓと４個の素子のオンオフ動作の関係を、図５〜図７を参照して説明する。
【００６８】
図５（ａ）は、領域１において、交流出力端子Ｕ−Ｖ間に出力される正の交流出力電圧Ｖｕｓを説明するための図である。図５（ｂ）〜図５（ｅ）は、この領域におけるスイッチング素子Ｑ１，Ｑ２と双方向スイッチ素子Ｓ１，Ｓ２の動作を説明するための図である。
【００６９】
この領域では、Ｈアーム素子はスイッチング素子Ｑ１である。Ｌアーム素子は双方向スイッチ素子Ｓ２である。オフアーム素子はスイッチング素子Ｑ２と双方向スイッチ素子Ｓ１である。したがって、スイッチング素子Ｑ１が、オン時間ＴＨ１の間オンする（図５（ｂ））。その後、双方向スイッチ素子Ｓ２が、オン時間ＴＬ１の間オンする（図５（ｅ））。スイッチング素子Ｑ２と双方向スイッチ素子Ｓ１とは、オフしている（図５（ｃ）、図５（ｄ））。
【００７０】
オン時間ＴＨ１は、式（１）により求められたパルス幅指令αに基づいて、スイッチング周期Ｔに対して算出された時間である。オン時間ＴＬ１は、スイッチング周期Ｔからオン時間ＴＨ１を差し引いた時間である。
【００７１】
そして、スイッチング素子Ｑ１がオンすると、交流出力端子Ｕ−Ｖ間に第１の電圧である直流電源Ｐｓｐの電圧Ｖｐｓが出力される。双方向スイッチ素子Ｓ２がオンすると、交流出力端子Ｕ−Ｖ間に第２の電圧であるゼロ電圧が出力される（図５（ａ））。交流出力端子Ｕ−Ｖ間に出力された電圧の平均値は、交流出力電圧指令Ｖｕｓ＊に等しい。
【００７２】
なお、スイッチング周期Ｔ内において出力される電圧は、第２の電圧、第１の電圧の順であっても良い。このことは、以下の説明においても、同様である。
図６（ａ）は、領域２において、交流出力端子Ｕ−Ｖ間に出力される正の交流出力電圧Ｖｕｓを説明するための図である。図６（ｂ）〜図６（ｅ）は、この領域におけるスイッチング素子Ｑ１，Ｑ２と双方向スイッチ素子Ｓ１，Ｓ２の動作を説明するための図である。
【００７３】
この領域では、Ｈアーム素子はスイッチング素子Ｑ１である。Ｌアーム素子は双方向スイッチ素子Ｓ１である。オフアーム素子はスイッチング素子Ｑ２と双方向スイッチ素子Ｓ２である。したがって、スイッチング素子Ｑ１が、オン時間ＴＨ２の間オンする（図６（ｂ））。その後、双方向スイッチ素子Ｓ１が、オン時間ＴＬ２の間オンする（図６（ｄ））。スイッチング素子Ｑ２と双方向スイッチ素子Ｓ２とは、オフしている（図６（ｃ）、図６（ｅ））。
【００７４】
オン時間ＴＨ２は、式（２）により求められたパルス幅指令αに基づいて、スイッチング周期Ｔに対して算出された時間である。オン時間ＴＬ２は、スイッチング周期Ｔからオン時間ＴＨ２を差し引いた時間である。
【００７５】
そして、スイッチング素子Ｑ１がオンすると、交流出力端子Ｕ−Ｖ間に第１の電圧である直流電源Ｐｓｐの電圧Ｖｐｓが出力される。双方向スイッチ素子Ｓ１がオンすると、交流出力端子Ｕ−Ｖ間に第２の電圧である交流電源１の電圧Ｖｒｓが出力される（図６（ａ））。交流出力端子Ｕ−Ｖ間に出力された電圧の平均値は、交流出力電圧指令Ｖｕｓ＊に等しい。
【００７６】
図７（ａ）は、領域３において、交流出力端子Ｕ−Ｖ間に出力される正の交流出力電圧Ｖｕｓを説明するための図である。図７（ｂ）〜図７（ｅ）は、この領域におけるスイッチング素子Ｑ１，Ｑ２と双方向スイッチ素子Ｓ１，Ｓ２の動作を説明するための図である。
【００７７】
この領域では、Ｈアーム素子は双方向スイッチ素子Ｓ１である。Ｌアーム素子は双方向スイッチ素子Ｓ２である。オフアーム素子はスイッチング素子Ｑ１とスイッチング素子Ｑ２である。したがって、双方向スイッチ素子Ｓ１が、オン時間ＴＨ３の間オンする（図７（ｂ））。その後、双方向スイッチ素子Ｓ２が、オン時間ＴＬ３の間オンする（図７（ｄ））。スイッチング素子Ｑ１とスイッチング素子Ｑ２とは、オフしている（図７（ｃ）、図７（ｅ））。
【００７８】
オン時間ＴＨ３は、式（３）により求められたパルス幅指令αに基づいて、スイッチング周期Ｔに対して算出された時間である。オン時間ＴＬ３は、スイッチング周期Ｔからオン時間ＴＨ３を差し引いた時間である。
【００７９】
そして、双方向スイッチ素子Ｓ１がオンすると、交流出力端子Ｕ−Ｖ間に第１の電圧である交流電源１の電圧Ｖｒｓが出力される。双方向スイッチ素子Ｓ２がオンすると、交流出力端子Ｕ−Ｖ間に第２の電圧であるゼロ電圧が出力される（図７（ａ））。交流出力端子Ｕ−Ｖ間に出力される電圧の平均値は、交流出力電圧指令Ｖｕｓ＊に等しい。
【００８０】
図８〜図１０は、交流出力電圧指令Ｖｕｓ＊が負（領域４〜６）の場合のスイッチング周期Ｔ内における交流出力電圧Ｖｕｓと４個の素子のオンオフ動作の関係を説明するための図である。
【００８１】
図８は、領域４における交流出力電圧を説明するための図である。
領域４は、回路の対象性から、スイッチング素子Ｑ１、Ｑ２と双方向スイッチ素子Ｓ１，Ｓ２とが、領域３の場合とほぼ同様の動作をする領域である。この領域では、交流出力端子Ｕ−Ｖ間に、その平均電圧が交流出力電圧指令Ｖｕｓ＊に等しい負の電圧が出力される。
【００８２】
図９は、領域５における交流出力電圧を説明するための図である。
領域５は、回路の対象性から、スイッチング素子Ｑ１とスイッチング素子Ｑ２の動作が逆になって、領域２の場合とほぼ同様の動作をする領域である。この領域では、交流出力端子Ｕ−Ｖ間に、その平均電圧が交流出力電圧指令Ｖｕｓ＊に等しい負の電圧が出力される。
【００８３】
図１０は、領域６における交流出力電圧を説明するための図である。
領域６は、回路の対象性から、スイッチング素子Ｑ１とスイッチング素子Ｑ２の動作が逆になって、領域１の場合とほぼ同様の動作をする領域である。この領域では、交流出力端子Ｕ−Ｖ間に、その平均電圧が交流出力電圧指令Ｖｕｓ＊に等しい負の電圧が出力される。
【００８４】
以上より、本実施形態に係る電力変換回路は、スイッチング周期Ｔ毎に、交流出力電圧指令Ｖｕｓ＊に等しい交流出力電圧Ｖｕｓを発生するために必要なＨアーム素子とＬアーム素子とを選択する。そして、本実施形態に係る電力変換回路は、スイッチング周期Ｔ内で、Ｈアーム素子とＬアーム素子とをそれぞれの所定時間オンさせて、その平均電圧が交流出力電圧指令Ｖｕｓ＊に等しい電圧を、交流出力端子Ｕ−Ｖ間に発生することができる。
【００８５】
例えば、本実施形態に係る電力変換回路は、交流電源１の電圧Ｖｒｓが交流出力電圧指令Ｖｕｓ＊よりも小さいとき、領域２および領域５の動作により、交流電源１の電圧Ｖｒｓに直流電源直列回路３の電圧ＶｓｐとＶｓｎを所定時間重畳して、交流出力電圧Ｖｕｓを発生することができる。
【００８６】
また、本実施形態に係る電力変換回路は、交流電源１の電圧Ｖｒｓが交流出力電圧指令Ｖｕｓ＊よりも大きいとき、領域３および領域４の動作により、交流電源１の電圧を降圧して交流出力電圧Ｖｕｓを発生することができる。
【００８７】
さらに、本実施形態に係る電力変換回路は、領域１および領域６の動作により、交流電源１の電圧Ｖｒｓとは反対極性の交流出力電圧Ｖｕｓを発生することができる。ここで発生する交流出力電圧Ｖｕｓは、交流電源１の電圧Ｖｒｓと位相が大きくずれた電圧となる。
【００８８】
すなわち、本実施形態に係る電力変換装置は、交流電源１の電圧Ｖｒｓと直流電源直列回路３の電圧Ｖｐｓ，Ｖｎｓとを用いて、負荷６に供給する交流出力電圧Ｖｕｓを交流出力電圧指令Ｖｕｓ＊に維持することができる。
【００８９】
ところで、本実施形態に係る電力変換装置は、直流電源Ｐｓｐの電圧Ｖｐｓよりも高い電圧および直流電源Ｐｓｎの電圧Ｖｎｓよりも低い電圧を出力することができない。したがって、交流出力電圧指令Ｖｕｓ＊が直流電源Ｐｓｐの電圧Ｖｐｓよりも大きいとき、および、交流出力電圧指令Ｖｕｓ＊が直流電源Ｐｓｎの電圧Ｖｎｓよりも小さいとき、全ての素子をオフするなどの保護動作を行うのが適切である。
【００９０】
また、交流出力電圧指令Ｖｕｓ＊が直流電源Ｐｓｐの電圧Ｖｐｓよりも大きいとき、スイッチング素子Ｑ１を常にオン状態に維持しても良い。そして、交流出力電圧指令Ｖｕｓ＊が直流電源Ｐｓｎの電圧Ｖｎｓよりも小さいとき、スイッチング素子Ｑ２を常にオン状態に維持するようにしても良い。
【００９１】
図１３に示した電力変換装置では、インバータ回路のスイッチング素子は、直流電源直列回路の正側電圧と負側電圧との間でオンオフ動作を行う。
しかし、本実施形態に係る電力変換装置では、スイッチング素子および双方向スイッチ素子は、第１の電圧と第２の電圧との間でオンオフ動作を行う。上述のとおり、第１の電圧は、交流出力電圧指令Ｖｕｓ＊以上であってかつ交流出力電圧指令Ｖｕｓ＊に一番近い電圧である。また、第２の電圧は、交流出力電圧指令Ｖｕｓ＊よりも小さくかつ交流出力電圧指令Ｖｕｓ＊に一番近い電圧である。図５〜図１０からも明らかなように、第１の電圧と第２の電圧との間の電圧差は、直流電源の電圧Ｖｐｓ，Ｖｎｓの大きさに比べて小さい。
【００９２】
したがって、本実施形態に係るインバータ回路４のスイッチング素子がターンオンおよびターンオフするときに発生するスイッチング損失は、図１３に示した電力変換装置のスイッチング素子のスイッチング損失に比べて小さくなる。同様に、本実施形態に係る双方向スイッチ回路１００の双方向スイッチ素子がターンオンおよびターンオフするときに発生するスイッチング損失は、図１３に示した電力変換装置のスイッチング素子のスイッチング損失に比べて小さくなる。
【００９３】
すなわち、本実施形態に係る電力変換装置のスイッチング周波数を、図１３に示したインバータ回路４のスイッチング周波数と同じとすると、本実施形態に係る電力変換装置は、図１３に示したインバータ回路４よりもスイッチング損失を低減することができる。
【００９４】
特に、交流出力電圧Ｖｕｓを交流電源１の電圧Ｖｒｓに同期させるのが好適である。交流出力電圧Ｖｕｓを交流電源１の電圧Ｖｒｓに同期させれば、スイッチング素子Ｑ１，Ｑ２および双方向スイッチ素子Ｓ１，Ｓ２に印加される電圧をより小さくすることができる。その結果、これらの素子で発生するスイッチング損失をさらに低減することができる。
【００９５】
また、本実施形態に係る電力変換装置の交流出力電圧Ｖｕｓは、第１の電圧と第２の電圧との間で変化する。したがって、リアクトルＬｆ１に印加される電圧が小さくなる。
リアクトルＬｆ１に流れるリプル電流は、電圧時間積（電圧の変化幅×電圧のパルス幅）に比例し、インダクタンス値に反比例する。インダクタンス値が同じ場合、本実施形態に係る電力変換装置では、電圧時間積が小さくなるため、リアクトルＬｆ１に流れるリプル電流が小さくなる。リプル電流が小さくなるとリアクトルＬｆ１の損失（主に鉄損）が小さくなる。したがって、リアクトルＬｆ１の低損失化が可能である。
【００９６】
一方、リプル電流を同じにする場合は、リアクトルＬｆ１のインダクタンス値を小さくすることができる。この場合は、リアクトルＬｆ１の小型化が可能である。
また、本実施形態に係る電力変換装置は、交流電源１に停電が発生した場合であっても交流電源１が正常な場合と同一の論理処理で、スイッチング周期Ｔ毎に、Ｈアーム素子とＬアーム素子とを選択することができる。そして、交流電源１が正常な場合と同様に、選択したＨアーム素子とＬアーム素子とをオンオフさせて、交流出力電圧Ｖｕｓを交流出力電圧指令Ｖｕｓ＊に維持することができる。
【００９７】
したがって、本実施形態に係る電力変換装置は、交流出力電圧Ｖｕｓを交流出力電圧指令Ｖｕｓ＊に維持するための制御において、交流電源１の停電を検出するための手段を必要としない。
【００９８】
次に、図１１は、制御回路２００が行う領域判定と、パルス幅指令αおよび素子選択との他の関係を説明するための図である。また、図１２は、領域７における交流出力電圧Ｖｕｓとスイッチング素子Ｑ１，Ｑ２と双方向スイッチ素子Ｓ１，Ｓ２の動作を説明するための図である。
【００９９】
制御回路２００の構成は、図３で示した制御回路と同じ構成である。ただし、電圧判定回路２０２は、図４に示した領域１〜６に加えて、さらに、領域７を判定する。領域７は、交流電源１の電圧を交流出力端子Ｕ−Ｖ間に出力するための領域である。
【０１００】
以下では、図３と図１１および図１２を参照して、領域７に関する制御回路２００の動作を中心に説明し、上記で説明した領域１〜６と共通する部分については、適宜省略する。
【０１０１】
電圧判定回路２０２には、スイッチング周期Ｔ毎に、交流出力電圧指令Ｖｕｓ＊と交流電源１の電圧Ｖｒｓとが入力される。電圧判定回路２０２は、両電圧の関係が、｜Ｖｕｓ＊−Ｖｒｓ｜＜ΔＶｕｓ＊の条件を満たすとき、当該スイッチング周期Ｔを領域７と判定する。このとき、電圧判定回路２０２は、領域７を示す領域信号δを出力する。
【０１０２】
ΔＶｕｓ＊は、交流電源１の電圧Ｖｒｓの値が、交流出力電圧指令Ｖｕｓ＊の値に対して所定の範囲内にあることを判定するための基準量である。負荷６が交流出力電圧指令Ｖｕｓ＊±１０％の範囲で入力電圧の変動を許容する場合、基準量ΔＶｕｓ＊は、交流出力電圧指令Ｖｕｓ＊の１０％に相当する量である。基準量ΔＶｕｓ＊は、他の条件によって定められた量であっても良い。
【０１０３】
パルス幅指令選択回路２０３は、領域７を示す領域信号δが入力されると、パルス幅指令αを１．０に固定する。パルス幅指令αが１．０の場合、比較器２０４は、キャリア信号Ｓｃの大きさに関わらず、当該スイッチング周期Ｔを通してＨアーム素子をオンさせる信号Ｈｏｎを生成する。すなわち、当該スイッチング周期Ｔにおいて、Ｈアームオン信号Ｈｏｎは常にハイレベルであり、Ｌアームオン信号Ｌｏｎは常にローレベルである。
【０１０４】
パルス分配回路２０５は、領域７を示す領域信号δが入力されると、双方向スイッチ素子Ｓ１をＨアーム素子に設定する。また、パルス分配回路２０５は、スイッチング素子Ｑ１，Ｑ２および双方向スイッチ素子Ｓ２をオフアーム素子に設定する。したがって、パルス分配回路２０５は、当該スイッチング周期Ｔの間ハイレベルにある双方向スイッチ素子Ｓ１の制御信号Ｇｓ１と、当該スイッチング周期Ｔの間ローレベルにあるスイッチング素子Ｑ１，Ｑ２および双方向スイッチ素子Ｓ２の制御信号Ｇ１，Ｇ２およびＧｓ２を出力する。
【０１０５】
したがって、領域７と判定されたスイッチング周期Ｔにおいては、双方向スイッチ素子Ｓ１がオンし、スイッチング素子Ｑ１，Ｑ２および双方向スイッチ素子Ｓ２がオフする。４個の素子のこの動作により、交流出力端子Ｕ−Ｖ間に交流電源１の電圧Ｖｒｓが出力される。
【０１０６】
なお、交流出力電圧指令Ｖｕｓ＊が負極性の場合であっても、制御回路２００は、交流出力電圧指令Ｖｕｓ＊が正極性の場合と同様の動作を行う。
領域７と判定されたスイッチング周期Ｔでは、双方向スイッチ素子Ｓ１のみオンし、スイッチング素子Ｑ１，Ｑ２および双方向スイッチ素子Ｓ２はオフする。よって、双方向スイッチ素子Ｓ１のみが電流通電による導通損失を発生する。スイッチング素子Ｑ１，Ｑ２および双方向スイッチ素子Ｓ２は、電流を流さないので、導通損失を発生しない。また、全ての素子は、オンオフ動作を行わないため、スイッチング損失を発生しない。
【０１０７】
したがって、電力変換回路の動作に領域７を設けると、さらに電力損失を低減することができる。
次に、図１３は、本発明に係る電力変換装置の第２の実施形態を説明するための図である。この実施形態に係る電力変換装置は、図１に示した実施形態の直流電源直列回路３０をハーフブリッジ型のコンバータ回路３１で構成している。
【０１０８】
コンバータ回路３１は、正側スイッチング素子Ｑｐと負側スイッチング素子Ｑｎの直列回路、正側コンデンサＣｐと負側コンデンサＣｎの直列回路およびリアクトルＬを主な構成要素とする。リアクトルＬの一端は交流電源１の一端に接続され、他端はスイッチング素子Ｑｐ，Ｑｎの接続中点に接続されている。コンデンサＣｐ，Ｃｎの直列回路は、スイッチング素子Ｑｐ，Ｑｎの直列回路に並列に接続されている。また、コンデンサＣｐ，Ｃｎの接続中点は、交流電源１の他端に接続されるとともに、交流出力端子Ｖに接続されている。
【０１０９】
交流出力端子Ｖに対して交流電源１の電圧が正極性のとき、まず、スイッチング素子Ｑｎがオンし、スイッチング素子Ｑｐがオフする。スイッチング素子Ｑｎがオンすることにより、コンデンサＣｎの電圧と交流電源１の電圧を加算した電圧がリアクトルＬに印加され、リアクトルＬにエネルギーが蓄積される。次に、スイッチング素子Ｑｎがオフし、スイッチング素子Ｑｐがオンする。スイッチング素子Ｑｎがオフすると、リアクトルＬに蓄積されたエネルギーがコンデンサＣｐに充電される。
【０１１０】
一方、交流出力端子Ｖに対して交流電源１の電圧が負極性のとき、まず、スイッチング素子Ｑｐがオンし、スイッチング素子Ｑｎがオフする。スイッチング素子Ｑｐがオンすることにより、コンデンサＣｐの電圧と交流電源１の電圧とを加算した電圧がリアクトルＬに印加され、リアクトルＬにエネルギーが蓄積される。次に、スイッチング素子Ｑｐがオフし、スイッチング素子Ｑｎがオンする。スイッチング素子Ｑｐがオフすると、リアクトルＬに蓄積されたエネルギーがコンデンサＣｎに充電される。
【０１１１】
スイッチング素子Ｑｐ，Ｑｎは、交流電源１の周波数よりも十分に高い周波数で、上記オンオフ動作を行う。スイッチング素子Ｑｐ，Ｑｎのオンオフ動作により、コンデンサＣｐとコンデンサＣｎの電圧が、交流電源１の電圧よりも高い所定の電圧に維持される。
【０１１２】
このように、本発明に係る電力変換装置の直流電源直列回路３０をハーフブリッジコンバータ３１で構成することができる。このハーフブリッジコンバータ３１のコンデンサＣｐが、直流電源直列回路３０の正側直流電源Ｐｓｐに対応する。また、ハーフブリッジコンバータ３１のコンデンサＣｎが、直流電源直列回路３０の負側直流電源Ｐｓｎに対応する。
【０１１３】
本実施形態において、ハーフブリッジコンバータ３１以外の回路の作用および効果は、図１から図１２を用いて説明した第１の実施形態に係る電力変換装置の作用および効果と同じである。
【０１１４】
次に、図１４は、本発明に係る電力変換装置の第３の実施形態を説明するための図である。この実施形態に係る電力変換装置は、図１に示した実施形態の直流電源直列回路３０を３レベル整流器３２で構成している。
【０１１５】
３レベル整流器３２は、正側ダイオードＤｐと負側ダイオードＤｎの直列回路、正側コンデンサＣｐと負側コンデンサＣｎの直列回路、双方向スイッチ素子Ｓ３およびリアクトルＬを主な構成要素とする。リアクトルＬの一端は交流電源１の一端に接続され、他端はダイオードＤｐ，Ｄｎの接続中点に接続されている。コンデンサＣｐ，Ｃｎの直列回路は、ダイオードＤｐ，Ｄｎの直列回路に並列に接続されている。また、コンデンサＣｐ，Ｃｎの接続中点は、交流電源１の他端に接続されるとともに、交流出力端子Ｖに接続されている。そして、双方向スイッチ素子Ｓ３が、ダイオードＤｐ，Ｄｎの接続中点とコンデンサＣｐ，Ｃｎの接続中点の間に接続されている。
【０１１６】
交流出力端子Ｖに対して交流電源１の電圧が正極性のとき、まず、双方向スイッチ素子Ｓ３がオンする。双方向スイッチ素子Ｓ３がオンすると、交流電源１の電圧がリアクトルＬに印加され、リアクトルＬにエネルギーが蓄積される。次に、双方向スイッチ素子Ｓ３がオフする。双方向スイッチ素子Ｓ３がオフすると、リアクトルＬに蓄積されたエネルギーがコンデンサＣｐに充電される。
【０１１７】
一方、交流出力端子Ｖに対して交流電源１の電圧が負極性のとき、まず、双方向スイッチ素子Ｓ３がオンする。双方向スイッチ素子Ｓ３がオンすると、交流電源１の電圧がリアクトルＬに印加され、リアクトルＬにエネルギーが蓄積される。次に、双方向スイッチ素子Ｓ３がオフする。双方向スイッチ素子Ｓ３がオフすると、リアクトルＬに蓄積されたエネルギーがコンデンサＣｎに充電される。
【０１１８】
双方向スイッチ素子Ｓ３は、交流電源１の周波数よりも十分に高い周波数で、上記オンオフ動作を行う。双方向スイッチ素子Ｓ３のオンオフ動作により、コンデンサＣｐとコンデンサＣｎの電圧が、交流電源１の電圧よりも高い所定の電圧に維持される。
【０１１９】
このように、本発明に係る電力変換装置の直流電源直列回路３０を３レベル整流器３２で構成することができる。この３レベル整流器３２のコンデンサＣｐが、直流電源直列回路３０の正側直流電源Ｐｓｐに対応する。また、３レベル整流器３２のコンデンサＣｎが、直流電源直列回路３０の負側直流電源Ｐｓｎに対応する。
【０１２０】
本実施形態において、３レベル整流器３２以外の回路の作用および効果は、図１から図１２を用いて説明した第１の実施形態に係る電力変換装置の作用および効果と同じである。
【符号の説明】
【０１２１】
１・・・交流電源、２・・・コンデンサ、３,３１・・・コンバータ回路、３０・・・直流電源直列回路、３２・・・３レベル整流器、４・・・インバータ回路、５・・・フィルタ回路、６・・・負荷、７・・・スイッチ、８・・・トランス、１００,１０１・・・双方向スイッチ回路、２００・・・制御回路、３０１〜３０３・・・電圧検出器。
【図１】
0005403090.tif 000003
【図２】
0005403090.tif 000004
【図３】
0005403090.tif 000005
【図４】
0005403090.tif 000006
【図５】
0005403090.tif 000007
【図６】
0005403090.tif 000008
【図７】
0005403090.tif 000009
【図８】
0005403090.tif 000010
【図９】
0005403090.tif 000011
【図１０】
0005403090.tif 000012
【図１１】
0005403090.tif 000013
【図１２】
0005403090.tif 000014
【図１３】
0005403090.tif 000015
【図１４】
0005403090.tif 000016
【図１５】
0005403090.tif 000017
【図１６】
0005403090.tif 000018